(57)【要約】【課題】  監視対象側の実際のシステム情報に基づいた正確な監視を行うに際し、監視対象側のシステム情報の変化の有無判断を迅速に行うことのできる技術を提供する。【解決手段】  監視対象の集中コントローラ５０の監視開始時に、遠隔監視装置１０からその集中コントローラ５０に、その集中コントローラ５０に記憶されているシステム情報更新識別子のモニタ要求を送信し、遠隔監視装置１０は、その要求に応じて集中コントローラ５０から送信されてくるシステム情報更新識別子と、自己のシステム情報記憶手段に記憶されている前回の監視開始時に集中コントローラ５０から取得したシステム情報更新識別子とを比較し、比較結果に基づいて集中コントローラ５０側でシステム情報の更新があったか否かを判断するものである。【選択図】        図１
2006279685.tif 000002
【特許請求の範囲】
【請求項１】
複数設置された空気調和機と、前記複数設置された空気調和機をグループ分けした各グループ毎に空気調和機の運転状態の監視及び運転制御を行う集中コントローラと、前記集中コントローラにネットワークを介して接続され、前記集中コントローラを介して前記空気調和機の運転状態の監視及び運転制御を行う遠隔監視装置とを備えた遠隔監視システムにおいて、
前記集中コントローラは、
監視者からの、前記グループ分けに関するグループ情報を含むシステム情報の設定入力を受け付ける入力手段と、
システム情報と該システム情報のシステム情報更新識別子とを対応付けて記憶するコントローラ側システム情報記憶手段と、
前記入力手段から入力されたシステム情報に、該システム情報が更新されたことを示すシステム情報更新識別子を付与して前記コントローラ側システム情報記憶手段に記憶更新させるコントローラ側システム情報更新手段と、
前記遠隔監視装置からシステム情報更新識別子のモニタ要求又はシステム情報の送信要求を受信した際に、その要求に応じて前記コントローラ側システム情報記憶手段から該当データを読み出して送信するシステム情報応答手段と
を備え、
前記遠隔監視装置は、
システム情報と該システム情報のシステム情報更新識別子とを記憶する監視側システム情報記憶手段と、
監視対象の集中コントローラの監視開始時に、その集中コントローラに記憶されているシステム情報更新識別子のモニタ要求を送信し、その要求に応じて集中コントローラから送信されてくるシステム情報更新識別子を受信し、受信したシステム情報更新識別子と監視側システム情報記憶手段に記憶されている前回の監視開始時に取得したシステム情報更新識別子とを比較し、比較結果に基づいて集中コントローラ側でシステム情報の更新があったか否かを判断するシステム情報更新判断手段と、
該システム情報更新判断手段で更新があったと判断された場合に、集中コントローラが保持しているシステム情報の送信要求を送信してシステム情報を取得するシステム情報取得手段と、
該システム情報取得手段で取得したシステム情報を、前記システム情報更新判断手段で受信した集中コントローラ側からのシステム情報更新識別子とともに前記システム情報記憶手段に記憶更新する監視側システム情報更新手段と
を備えたことを特徴とする遠隔監視システム。
【請求項２】
前記集中コントローラは、
複数の空気調和機から運転監視情報を収集する運転監視情報収集手段と、
収集した運転監視情報と該運転監視情報の運転監視情報更新識別子とを記憶するコントローラ側運転監視情報記憶手段と、
運転監視情報更新識別子のモニタ要求を受信した際に、その要求に応じて運転監視情報記憶手段から運転監視情報更新識別子を読み出して応答するとともに、更新分の運転監視情報の送信要求を受信した際に、その要求に応じて運転監視情報記憶手段内の運転監視情報に基づいて変更分の運転監視情報を生成して応答する運転監視情報応答手段と、
を備え、
前記遠隔監視装置は、
運転監視情報と該運転監視情報の運転監視情報更新識別子とを記憶する監視側運転監視情報記憶手段と、
運転監視情報に基づく監視画面を表示する表示手段と、
前記複数の空気調和機の運転監視情報に基づく監視画面を表示するにあたり、集中コントローラに運転監視情報更新識別子のモニタ要求を送信し、その要求に応じて前記集中コントローラから送信されてくる運転監視情報更新識別子を受信し、受信した運転監視情報更新識別子と、前記運転監視情報記憶手段内の運転監視情報更新識別子とを比較し、比較結果に基づいて前回の監視時から運転監視情報が更新されているか否かを判断する運転監視情報更新判断手段と、
該運転監視情報更新判断手段で更新されていると判断した場合、前回の監視時から更新された更新分の運転監視情報の送信要求を集中コントローラに送信して更新分の運転監視情報を取得する運転監視情報取得手段と、
該運転監視情報取得手段で取得した更新分の運転監視情報に基づいて前記運転監視情報記憶手段を記憶更新する運転監視情報更新手段と
を備えたことを特徴とする請求項１記載の遠隔監視システム。
【請求項３】
前記遠隔監視装置は前記ネットワークに複数接続されており、前記集中コントローラは遠隔監視装置別に運転監視情報更新識別子を記憶管理しており、前記遠隔監視装置から更新分の運転監視情報の送信要求を受信した際、その遠隔監視装置対応の更新分の運転監視情報を生成して応答することを特徴とする請求項２記載の遠隔監視システム。
【請求項４】
前記遠隔監視装置は、設定情報別に設けられた設定情報とその設定情報の設定情報更新識別子とを記憶する監視側設定情報記憶手段と、
前記入力手段から空気調和機に関する設定情報の変更入力が行われると、集中コントローラにその変更を行う設定情報の設定情報更新識別子のモニタ要求を送信し、その要求に応じて集中コントローラから送信されてくる設定情報更新識別子と、前記監視側設定情報記憶手段内の該当の設定情報更新識別子とを比較し、比較結果に基づいて自己が管理している該当設定種別の設定情報と集中コントローラ側が管理している設定情報とが一致しているかを判断する設定情報整合性判断手段と、
該設定情報整合性判断手段で一致していると判断された場合、設定情報のうちの変更分と今回の変更に対して新たに付与した設定情報更新識別子とを集中コントローラに送信して更新指示を行い、一致していないと判断された場合、前記入力手段からの変更入力に基づき変更された設定種別の設定情報全てを今回の変更に対して新たに付与した設定情報更新識別子とを集中コントローラに送信して更新指示を行う設定情報更新指示手段とを備え、
前記集中コントローラは、複数の空気調和機における設定種別毎の設定情報とその設定情報の設定情報更新識別子とを対応付けて記憶するコントローラ側設定情報記憶手段と、
前記遠隔監視装置から設定情報更新識別子のモニタ要求を受信すると、その要求に応じてコントローラ側設定情報記憶手段から設定情報更新識別子を読み出して応答する設定情報更新識別子応答手段と、
前記遠隔監視装置から送信されてくる更新指示に基づいてコントローラ側設定情報記憶手段を更新するコントローラ側設定情報更新手段と
を備えたことを特徴とする請求項１乃至請求項３の何れかに記載の遠隔監視システム。
【請求項５】
前記集中コントローラが少なくとも１台と、その集中コントローラに接続された複数の空気調和機とを備えたサイトが複数、前記ネットワークに接続されており、前記遠隔監視装置は、予め設定された順序に従って各サイトを巡回して監視を行うように構成され、前記遠隔監視装置は、次に接続予定の次候補サイトへ切り換えるための接続要求を送信後、実際にそのサイトの監視画面を表示するまでに行う各種処理に必要な各種情報を、予め当
該次候補サイトの集中コントローラから収集し、収集した各種情報に基づいて監視画面生成処理を行う次候補サイト情報収集処理手段を備えていることを特徴とする請求項１乃至請求項３の何れかに記載の遠隔監視システム。
【請求項６】
前記集中コントローラが少なくとも１台と、その集中コントローラに接続された複数の空気調和機とを備えたサイトが複数、前記ネットワークに接続されており、前記遠隔監視装置は、予め設定された順序に従って各サイトを巡回して監視を行うように構成され、前記集中コントローラは、空気調和機で異常が発生した場合に該空気調和機から送信されてくる異常情報を受信すると、その異常情報を遠隔監視装置に通報する通報手段を備え、前記遠隔監視装置は、現在監視中のサイト内の集中コントローラからの異常情報を受信すると、次に巡回予定の候補サイトへの切換タイミングとなっても、次候補サイトへ切り換えず現在監視中の異常発生サイトの監視画面の表示を継続して行う監視対象固定手段を備えたことを特徴とする請求項１乃至請求項５の何れかに記載の遠隔監視システム。
【請求項７】
前記集中コントローラが少なくとも１台と、その集中コントローラに接続された複数の空気調和機とを備えたサイトが複数、前記ネットワークに接続されており、前記遠隔監視装置は、予め設定された順序に従って各サイトを巡回して監視を行うように構成され、前記集中コントローラは、空気調和機で異常が発生した場合に該空気調和機から送信されてくる異常情報を受信すると、その異常情報を遠隔監視装置に通報する通報手段を備え、前記遠隔監視装置は、現在監視中以外の集中コントローラからの異常情報を受信すると、監視画面表示を、上記異常情報の発信元の空気調和機を含むサイトに関する監視画面に切り換える監視画面切り換え手段を有することを特徴とする請求項１乃至請求項５の何れかに記載の遠隔監視システム。
【請求項８】
前記遠隔監視装置は、
集中コントローラを動作させるための最新のソフトウェアとそのソフトウェアのバージョン情報とを記憶する集中コントローラ用ソフトウェア記憶手段と、
集中コントローラを動作させるソフトウェアの現在のバージョン情報のモニタ要求を集中コントローラに送信し、その要求に応じて集中コントローラから送信されてくるバージョン情報に基づき変更の要否を判断するソフトウェア更新判断手段と、
該ソフトウェア更新手段で更新必要と判断された場合、ソフトウェア記憶手段に記憶されたソフトウェアを読み出し、該ソフトウェアを含むソフトウェア更新指示を集中コントローラに送信するソフトウェア更新指示手段とを備え、
前記集中コントローラは、
該集中コントローラを動作させるためのソフトウェアを記憶するソフトウェア記憶手段と、
ソフトウェア記憶手段内のソフトウェアのバージョン情報を記憶するバージョン情報記憶手段と、
遠隔監視装置からのバージョン情報のモニタ要求を受信すると、その要求に応じて前記バージョン情報記憶手段から読み出して応答するバージョン情報応答手段と、
前記遠隔監視装置からソフトウェア更新指示を受信した際、該更新指示に含まれるソフトウェアに基づいて前記ソフトウェア記憶手段を更新するソフトウェア更新手段と
を備えたことを特徴とする請求項１乃至請求項７の何れかに記載の遠隔監視システム。
【請求項９】
複数設置された空気調和機と、前記複数設置された空気調和機をグループ分けした各グループ毎に空気調和機の運転状態の監視及び運転制御を行う集中コントローラと、前記集中コントローラにネットワークを介して接続され、前記集中コントローラを介して前記空気調和機の運転状態の監視及び運転制御を行う遠隔監視装置とを備えた遠隔監視システムにおける遠隔監視装置であって、
前記グループ分けに関するグループ情報を含むシステム情報と該システム情報のシステム情報更新識別子とを記憶する監視側システム情報記憶手段と、
監視対象の集中コントローラの監視開始時に、その集中コントローラに記憶されているシステム情報更新識別子のモニタ要求を送信し、その要求に応じて集中コントローラから送信されてくるシステム情報更新識別子を受信し、受信したシステム情報更新識別子と監視側システム情報記憶手段に記憶されている前回の監視開始時に取得したシステム情報更新識別子とを比較し、比較結果に基づいて集中コントローラ側でシステム情報が更新されているか否かを判断するシステム情報更新判断手段と、
該システム情報更新判断手段で更新されていると判断した場合に、集中コントローラが保持しているシステム情報の送信要求を送信してシステム情報を取得するシステム情報取得手段と、
該システム情報取得手段で取得したシステム情報を、前記システム情報更新判断手段で受信した集中コントローラ側からのシステム情報更新識別子とともに前記システム情報記憶手段に記憶更新する監視側システム情報更新手段と
を備えたことを特徴とする遠隔監視装置。
【請求項１０】
運転監視情報と該運転監視情報の運転監視情報更新識別子とを記憶する監視側運転監視情報記憶手段と、
運転監視情報に基づく監視画面を表示する表示手段と、
前記複数の空気調和機の運転監視情報に基づく監視画面を表示するにあたり、集中コントローラに運転監視情報更新識別子のモニタ要求を送信し、その要求に応じて前記集中コントローラから送信されてくる運転監視情報更新識別子を受信し、受信した運転監視情報更新識別子と、前記運転監視情報記憶手段内の運転監視情報更新識別子とを比較し、比較結果に基づいて前回の監視時から運転監視情報が更新されているか否かを判断する運転監視情報更新判断手段と、
該運転監視情報更新判断手段で更新されていると判断した場合、前回の監視時から更新された更新分の運転監視情報の送信要求を集中コントローラに送信して更新分の運転監視情報を取得する運転監視情報取得手段と、
該運転監視情報取得手段で取得した更新分の運転監視情報に基づいて前記運転監視情報記憶手段を記憶更新する運転監視情報更新手段と
を備えたことを特徴とする請求項９記載の遠隔監視装置。
【請求項１１】
設定情報別に設けられた設定情報とその設定情報の設定情報更新識別子とを記憶する監視側設定情報記憶手段と、
前記入力手段から空気調和機に関する設定情報の変更入力が行われると、集中コントローラにその変更を行う設定情報の設定情報更新識別子のモニタ要求を送信し、その要求に応じて集中コントローラから送信されてくる設定情報更新識別子と、前記監視側設定情報記憶手段内の該当の設定情報更新識別子とを比較し、比較結果に基づいて自己が管理している該当設定種別の設定情報と集中コントローラ側が管理している設定情報とが一致しているかを判断する設定情報整合性判断手段と、
該設定情報整合性判断手段で一致していると判断された場合、設定情報のうちの変更分と今回の変更に対して新たに付与した設定情報更新識別子とを集中コントローラに送信して更新指示を行い、一致していないと判断された場合、前記入力手段からの変更入力に基づき変更された設定種別の設定情報全てを今回の変更に対して新たに付与した設定情報更新識別子とを集中コントローラに送信して更新指示を行う設定情報更新指示手段とを備えたことを特徴とする請求項９又は請求項１０記載の遠隔監視装置。
【請求項１２】
前記集中コントローラが少なくとも１台と、その集中コントローラに接続された複数の空気調和機とを備えたサイトが複数、前記ネットワークに接続されており、その各サイトを、予め設定された順序に従って巡回して監視を行うように構成され、次に接続予定の次候補サイトへ切り換えるための接続要求を送信後、実際にそのサイトの監視画面を表示するまでに行う各種処理に必要な各種情報を、予め当該次候補サイトの集中コントローラから収集し、収集した各種情報に基づいて監視画面生成処理を行う次候補サイト情報収集処理手段を備えていることを特徴とする請求項９乃至請求項１１の何れかに記載の遠隔監視装置。
【請求項１３】
前記集中コントローラが少なくとも１台と、その集中コントローラに接続された複数の空気調和機とを備えたサイトが複数、前記ネットワークに接続されており、その各サイトを、予め設定された順序に従って巡回して監視を行うように構成され、現在監視中のサイト内の空気調和機で異常が発生した場合に該空気調和機から送信される異常情報を集中コントローラを介して受信すると、次に巡回予定の候補サイトへの切換タイミングとなっても、次候補サイトへ切り換えず現在監視中の異常発生サイトの監視画面の表示を継続して行う監視対象固定手段を備えたことを特徴とする請求項９乃至請求項１１の何れかに記載の遠隔監視装置。
【請求項１４】
前記集中コントローラが少なくとも１台と、その集中コントローラに接続された複数の空気調和機とを備えたサイトが複数、前記ネットワークに接続されており、その各サイトを、予め設定された順序に従って巡回して監視を行うように構成され、現在監視中以外のサイト内で空気調和機に異常が発生した場合に該空気調和機から送信される異常情報を対応の集中コントローラを介して受信すると、監視画面表示を、上記異常情報の発信元の空気調和機を含むサイトに関する監視画面に切り換える監視画面切り換え手段を有することを特徴とする請求項９乃至請求項１１の何れかに記載の遠隔監視装置。
【請求項１５】
集中コントローラを動作させるための最新のソフトウェアとそのソフトウェアのバージョン情報とを記憶する集中コントローラ用ソフトウェア記憶手段と、
集中コントローラを動作させるソフトウェアの現在のバージョン情報のモニタ要求を集中コントローラに送信し、その要求に応じて集中コントローラから送信されてくるバージョン情報に基づき変更の要否を判断するソフトウェア更新判断手段と、
該ソフトウェア更新手段で更新必要と判断された場合、ソフトウェア記憶手段に記憶されたソフトウェアを読み出し、該ソフトウェアを含むソフトウェア更新指示を集中コントローラに送信して更新させるソフトウェア更新指示手段とを備えたことを特徴とする請求項９乃至請求項１４の何れかに記載の遠隔監視装置。
【発明の詳細な説明】
【技術分野】
【０００１】
本発明は、例えば空気調和機等の機器の監視や運転状態の制御を遠隔地から可能にした遠隔監視システム及び遠隔監視装置に関するものである。
【背景技術】
【０００２】
従来、この種の遠隔監視システムとして、「空気調和機、冷蔵ショーケース等の冷凍装置と、該冷凍装置から通信回線を介してその運転情報を読み込んで遠隔監視する遠隔監視装置と、該遠隔監視装置からの前記運転情報を通信回線を介して受信するホスト側端末とから成る遠隔監視システムであって、前記冷凍装置の室外機に対応する室内機の構成に関するデータを予め記憶しているメモリと、前記冷凍装置の各室外機に対応する室内機の構成に関する現実のデータを取得する取得手段と、該取得手段が取得した現実のデータと既に前記メモリに記憶されている前記データとを比較する比較手段と、該比較手段による比較結果が変化有りの場合に前記遠隔監視装置から前記ホスト側端末に発呼するように制御する制御手段とから成ることを特徴とする遠隔監視システム。」がある（例えば特許文献１参照）。この技術によれば、テナントの入れ替えやリフォーム等により、空気調和機が設置されている部屋や、室外機に対してどの室内機が対応しているかといったグループ構成が変化した場合に、その変化を遠隔監視装置側で即座に把握でき、実際の空気調和機設置情報と遠隔監視装置の設置情報とが異なることによる不都合（例えば、社長室の空気調和機を遠隔監視していたところ、実際には事務所の空気調和機であった等）を防止することを可能としている。
【０００３】
【特許文献１】特開２００２−２７７０２８号公報
【発明の開示】
【発明が解決しようとする課題】
【０００４】
上記特許文献１の技術では、冷凍装置の各室外機に対応する室内機の構成に関する現実の設置情報（システム情報）と、既にメモリに記憶されている設置情報（システム情報）とを比較することで、構成の変化の有無を判断しているため、各室外機に対応する室内機の数が多数である場合にはデータ内容の比較に時間を要してしまうという問題があった。
【０００５】
本発明はこのような点に鑑みなされたもので、監視対象側の実際のシステム情報に基づいた正確な監視を行うに際し、監視対象側のシステム情報の変化の有無判断を迅速に行うことのできる遠隔監視システム及び遠隔監視装置を提供することを目的とする。
【課題を解決するための手段】
【０００６】
本発明に係る遠隔監視システムは、複数設置された空気調和機と、複数設置された空気調和機をグループ分けした各グループ毎に空気調和機の運転状態の監視及び運転制御を行う集中コントローラと、集中コントローラにネットワークを介して接続され、集中コントローラを介して空気調和機の運転状態の監視及び運転制御を行う遠隔監視装置とを備えた遠隔監視システムにおいて、集中コントローラは、監視者からの、グループ情報を含むシステム情報の設定入力を受け付ける入力手段と、システム情報とシステム情報のシステム情報更新識別子とを対応付けて記憶するコントローラ側システム情報記憶手段と、入力手段から入力されたシステム情報に、システム情報が更新されたことを示すシステム情報更新識別子を付与してコントローラ側システム情報記憶手段に記憶更新させるコントローラ側システム情報更新手段と、遠隔監視装置からシステム情報更新識別子のモニタ要求又はシステム情報の送信要求を受信した際に、その要求に応じてコントローラ側システム情報記憶手段から該当データを読み出して送信するシステム情報応答手段とを備え、遠隔監視装置は、システム情報とシステム情報のシステム情報更新識別子とを記憶する監視側システム情報記憶手段と、  監視対象の集中コントローラの監視開始時に、その集中コントローラに記憶されているシステム情報更新識別子のモニタ要求を送信し、その要求に応じて集中コントローラから送信されてくるシステム情報更新識別子を受信し、受信したシステム情報更新識別子と監視側システム情報記憶手段に記憶されている前回の監視開始時に取得したシステム情報更新識別子とを比較し、比較結果に基づいて集中コントローラ側でシステム情報の更新があったか否かを判断するシステム情報更新判断手段と、システム情報更新判断手段で更新があったと判断された場合に、集中コントローラが保持しているシステム情報の送信要求を送信してシステム情報を取得するシステム情報取得手段と、システム情報取得手段で取得したシステム情報を、システム情報更新判断手段で受信した集中コントローラ側からのシステム情報更新識別子とともにシステム情報記憶手段に記憶更新する監視側システム情報更新手段とを備えたものである。
【発明の効果】
【０００７】
本発明は、監視対象の集中コントローラの監視開始時に、遠隔監視装置からその集中コントローラに、その集中コントローラに記憶されているシステム情報更新識別子のモニタ要求を送信し、遠隔監視装置は、その要求に応じて集中コントローラから送信されてくるシステム情報更新識別子と、監視側システム情報記憶手段に記憶されている前回の監視開始時に集中コントローラから取得したシステム情報更新識別子とを比較し、比較結果に基づいて集中コントローラ側でシステム情報の更新があったか否かを判断するので、システム情報そのもの同士を比較して判断する場合に比べて迅速に更新判断を行うことができる。
【発明を実施するための最良の形態】
【０００８】
実施の形態１．
図１は、本発明の実施の形態１における遠隔監視システムの全体構成図である。図１により遠隔監視システム全体の概要を説明する。
遠隔監視システムは、具体的には例えばテナントビル本社や支社に設置された複数の遠隔監視装置１０と、この遠隔監視装置１０によって監視される複数のサイトＡ〜Ｃとを備え、それぞれがルータ２０、３０ａを介してネットワークＮＥＴに接続された構成となっている。サイトは、具体的には散在するテナントビル等の監視対象場所を示している。
【０００９】
各サイトＡ〜Ｃをそれぞれ構成するテナントビルには、各フロア毎に空調システム４０が配置されている。空調システム４０は、室外機４１（４１Ａ〜４１Ｃ）と室内機４２（４２Ａ〜４２Ｃ）とで構成される複数の空気調和機４３と、空気調和機４３の運転操作を行う複数のリモコン４４（４４Ａ〜４４Ｃ）と、複数設置された空気調和機４３をグループ分けした各グループ毎に空気調和機４３の運転状態の監視及び運転制御を行う集中コントローラ５０（５０Ａ、５０Ｂ）とを備えており、それぞれ空気調和機専用の伝送線６０によって接続されている。そして、各空調システム４０は、各集中コントローラ５０がイントラネットや空調専用ネット等のネットワーク６１に接続されることによって相互に接続され、ルータ３０ａを介してネットワークＮＥＴに接続されている。
【００１０】
各空調システム４０において、集中コントローラ５０は、各空気調和機４３から運転状態（運転／停止、動作モード、温度等）や異常状態などの運転監視情報が伝送線６０を介して入力されるようになっている。入力された運転監視情報は、集中コントローラ５０内部に記憶されるとともに、遠隔監視装置１０からの要求に応じてルータ３０ａ及びネットワークＮＥＴを介して遠隔監視装置１０に送信されるようになっている。
【００１１】
遠隔監視装置１０は、集中コントローラ５０を介して空気調和機４３の運転状態の監視及び運転制御を行う。
遠隔監視装置１０は、予め設定された順序に従って定期的に各サイトＡ〜Ｃを巡回し、サイト内の各集中コントローラ５０を介して各空気調和機４３の運転状態の監視を行う。すなわち、監視対象サイトの各集中コントローラ５０から収集した後述のシステム情報や運転監視情報、更にフロア配置情報を処理することによって後述の図２に示すような各フロア毎の監視画面生成し、表示する。また、集中コントローラ５０を介して各空気調和機４３の運転制御を行う。
【００１２】
図２は、遠隔監視装置に表示される監視画面の一例を示す図である。図２には、ビル内のメインフロアに対応する監視画面を示している。
監視画面には、メインフロアの各部屋毎にその部屋に設置された空気調和機４３が模式表示されているとともに、その模式表示近傍に、現在の運転モードが図示されている。
【００１３】
図３は、集中コントローラの構成図である。
集中コントローラ５０は、ネットワークＮＥＴを介して遠隔監視装置１０と通信するための通信手段５１と、各種表示を行う表示手段５２と、データ設定や操作入力などを行う入力手段５３と、システム情報記憶手段５４と、運転監視情報記憶手段５５と、フロア配置情報記憶手段５６と、集中コントローラ５０全体の制御を行うマイコン５７とを備えている。
【００１４】
システム情報記憶手段５４は、システム情報とこのシステム情報のシステム情報更新識別子とを対応付けて記憶している。システム情報とは、複数台の空気調和機４３をグループ分けしてグループ毎に制御するためのグループ情報と、室外機４１、室内機４２、リモコン４４を識別するためのアドレス情報とを含んでいる。このグループ情報とは、例えば室外機４１Ａと室内機４２Ａ，４２Ｂとリモコン４４Ａがグループ１Ｇに属し、室外機４１Ｂと室内機４２Ｃとリモコン４４Ｂがグループ２Ｇに属するといった内容の情報である。このようなグループ情報により、例えばグループ１Ｇでは、室外機４１Ａに対応する室内機４２が４２Ａ，４２Ｂであり、この室内機４２Ａ，４２Ｂの運転操作を行うリモコン４４が４４Ａであることを把握することができる。
【００１５】
また、システム情報更新識別子とは、システム情報の更新の有無を判断するためのもので、具体的には例えば更新日時や更新回数などが用いられる。本例では、図４に示すように年月日時分秒を使用している。このシステム情報更新識別子は、システム情報が更新される度に新たなシステム情報更新識別子が付与されてシステム情報記憶手段５４に記憶されるようになっている。システム情報の更新とは、具体的は例えば、テナントの入れ替えなどによってグループ情報を変更する場合等が該当する。
【００１６】
運転監視情報記憶手段５５は、空気調和機４３から収集した運転監視情報とこの運転監視情報の運転監視情報更新識別子とを対応付けて記憶している。運転監視情報とは、運転状態や異常状態などを示す情報である。
【００１７】
フロア配置情報記憶手段５６は、フロア毎にどの空気調和機４３がどの部屋に配置されてるかといったフロア配置情報を記憶する。
【００１８】
マイコン５７は、ＣＰＵと、各種データを記憶するＲＡＭと、集中コントローラを動作させるためのソフトウェア（プログラム）を記憶するＲＯＭ（何れも図示せず）を備えており、これらによってシステム情報更新判断手段５７ａと、システム情報更新手段５７ｂと、システム情報応答手段５７ｃと、運転監視情報収集手段５７ｄとが機能的に構成されている。このマイコン５７により、後述の各フローチャートにおける集中コントローラ５０の動作が行われる。
【００１９】
システム情報更新判断手段５７ａは、入力手段５３から入力されたシステム情報とシステム情報記憶手段５４に記憶されているシステム情報とを比較し、比較結果に基づいてシステム情報の更新の有無を判断する。システム情報更新手段５７ｂは、システム情報更新判断手段５７ａで更新有と判断された場合、入力手段５３から入力されたシステム情報に、このシステム情報が更新されたことを示すシステム情報更新識別子を付与してシステム情報記憶手段５４に記憶更新させる。システム情報応答手段５７ｃは、遠隔監視装置１０からシステム情報更新識別子のモニタ要求又はシステム情報の送信要求を受信した際に、その要求に応じてシステム情報記憶手段５４から該当データを読み出して送信する。運転監視情報収集手段５７ｄは、各空気調和機４３から運転監視情報を収集するものである。
【００２０】
図５は、遠隔監視装置の構成図である。
遠隔監視装置１０は、ネットワークＮＥＴを介して集中コントローラ５０と通信するための通信手段１１と、各種表示を行う表示手段１２と、データ設定や操作入力などを行う入力手段１３と、システム情報記憶手段１４と、集中コントローラ５０から取得した各空気調和機４３の運転監視情報を記憶する運転監視情報記憶手段１５と、フロア配置情報を記憶するフロア配置情報記憶手段１６と、遠隔監視装置１０全体の制御を行うマイコン１７とを備えている。
【００２１】
システム情報記憶手段１４は、システム情報とこのシステム情報のシステム情報更新識別子とを対応付けて記憶するもので、各サイト毎に管理記憶している。
【００２２】
図６は、システム情報記憶手段内のシステム情報更新識別子の一例を示す図である。
図６に示すように、システム情報更新識別子は、各サイトＡ，Ｂ毎及び集中コントローラ５０毎に記憶されている。図６中の００１、００２は、サイトＡ内の２つの集中コントローラ５０Ａ、５０ＢそれぞれのＩＤを示している。
【００２３】
図５に戻る。マイコン１７内には、ＣＰＵ、ＲＡＭ及び遠隔監視装置を動作させるためのソフトウェア（プログラム）を記憶するＲＯＭ（何れも図示せず）を備えており、これらによって、システム情報更新判断手段１７ａと、システム情報取得手段１７ｂと、システム情報更新手段１７ｃと、運転監視情報取得手段１７ｄとが機能的に構成されている。このマイコン１７により、後述の各フローチャートにおける遠隔監視装置１０の動作が行われる。
【００２４】
システム情報更新判断手段１７ａは、監視対象の集中コントローラ５０の監視開始時に、その集中コントローラ５０に記憶されているシステム情報更新識別子のモニタ要求を送信し、その要求に応じて集中コントローラ５０から送信されてくるシステム情報更新識別子を受信し、受信したシステム情報更新識別子と自己のシステム情報記憶手段１４に記憶されている前回の監視開始時に取得したシステム情報更新識別子とを比較し、比較結果に基づいて集中コントローラ５０側でシステム情報の更新があったか否かを判断する。
【００２５】
システム情報取得手段１７ｂは、システム情報更新判断手段１７ａで更新があったと判断された場合に、集中コントローラ５０が保持しているシステム情報の送信要求を集中コントローラ５０に送信してシステム情報を取得する。システム情報更新手段１７ｃは、システム情報取得手段１７ｂで取得したシステム情報を、システム情報更新判断手段１７ａで受信した集中コントローラ５０側からのシステム情報更新識別子とともに自己のシステム情報記憶手段１４に記憶更新する。運転監視情報取得手段１７ｄは、集中コントローラ５０に各空気調和機４３の運転監視情報を要求して取得するものである。運転監視情報取得手段１７ｄの動作については後述の実施の形態２で更に詳しく説明する。
【００２６】
図７は、本実施の形態１の遠隔監視システムの遠隔監視装置における動作概略を示すフローチャートである。このフローチャートは、実施の形態１のみならず後述の各実施の形態の遠隔監視装置に共通の基本動作フローである。ここでは、サイトＡの監視を行うものとして説明する。
遠隔監視装置１０は、まず、サイトＡの監視タイミングとなると、サイトＡに接続してサイトＡ内の各集中コントローラ５０が保持するシステム情報の更新の有無をチェックし、更新されていればその更新されたシステム情報を取得するシステム情報取得処理を行う（Ｓ１）。続いて、サイトＡ内の全ての空気調和機４３の運転監視情報を、各集中コントローラ５０から取得する運転監視情報取得処理を行う（Ｓ２）。そして、システム情報と全運転監視情報と内部に記憶したフロア配置情報に基づいて監視画面を生成する監視画面生成処理を行う（Ｓ３）。その後、生成した監視画面を表示手段１２に表示する。
【００２７】
以上が、遠隔監視装置１０が監視対象サイトに接続してから監視画面を表示するまでに行う一連の処理である。ここで、システム情報には、上述したようにグループ情報が含まれており、遠隔監視装置１０側が保持しているグループ情報と集中コントローラ５０側が保持しているグループ情報とが異なっているなど、両者間でシステム情報が一致していない場合、監視画面を正確に表示できなかったり、メインフロアの受付の室内機を操作したつもりが、実際には別の室内機を操作してしまったり等の不都合が生じる。よって、両者間でシステム情報の整合を図ることは非常に重要である。
【００２８】
本実施の形態１は、このシステム情報の整合を図る上での動作に特徴を有するものであり、具体的には図７のステップＳ１のシステム情報取得処理の動作に特徴を有するものである。以下、その特徴動作に係る遠隔監視システム全体の動作を説明する。
【００２９】
図８及び図９は、本実施の形態１の遠隔監視システムの動作を示すフローチャートである。図８及び図９に基づいて、本実施の形態１の遠隔監視システムの動作を説明する。ここでは、遠隔監視装置１０がサイトＡを監視する場合を例に説明する。
【００３０】
集中コントローラ５０は、監視者により入力手段５３を介してシステム情報が入力されたことを検知すると（Ｓ１１）、入力されたシステム情報と、システム情報記憶手段５４内のシステム情報とを比較してシステム情報が更新されているか否かを判断し（Ｓ１２）、更新されていると判断した場合、入力された更新後のシステム情報を、システム情報更新識別子を付与してシステム情報記憶手段５４に記憶させる処理を行なう（Ｓ１３）。ここで付与されるシステム情報更新識別子は記憶処理時の年月日時分秒である。
【００３１】
ここで、遠隔監視装置１０は、サイトＡの監視を行うべく通信を開始した際、まず、サイトＡ内の各集中コントローラ５０それぞれに対し、システム情報更新識別子のモニタ要求を通信手段１１を介して送信する（Ｓ２１）。このモニタ要求を受信した集中コントローラ５０は、システム情報記憶手段５４に記憶してあるシステム情報更新識別子を読み出して遠隔監視装置１０に応答する（Ｓ２２、Ｓ２３）。
【００３２】
遠隔監視装置１０は、集中コントローラ５０からのシステム情報更新識別子を受信し（Ｓ２４）、受信したシステム情報更新識別子と、システム情報記憶手段１４に記憶してあるシステム情報更新識別子とを比較してシステム情報の更新判断を行う（Ｓ２５）。すなわち、両識別子が不一致であれば、前回の監視時以降に、集中コントローラ５０側でシステム情報の更新があったと判断し、現在集中コントローラ５０が保持しているシステム情報の送信要求を送信する（Ｓ２６）。
【００３３】
集中コントローラ５０はこれを受信し（Ｓ２７）、自己のシステム情報記憶手段５４内のシステム情報を遠隔監視装置１０に応答する（Ｓ２８）。遠隔監視装置１０は、集中コントローラ５０からのシステム情報を受信し（Ｓ２９）、受信したシステム情報をステップＳ２４で受信したシステム情報更新識別子とともにシステム情報記憶手段１４に記憶更新する（Ｓ３０）。
【００３４】
この更新により、遠隔監視装置１０が保持する集中コントローラ５０のシステム情報と集中コントローラ５０が実際に保持するシステム情報との整合が図られ、正確な監視画面表示が可能となる。また、遠隔監視装置１０から空気調和機４３の運転／停止を制御する際に、意図しない空気調和機４３が制御されてしまうなどの不都合を防止することができる。
【００３５】
このように本実施の形態１によれば、集中コントローラ５０における実際のシステム情報と遠隔監視装置１０が保持するシステム情報との整合を図るに際し、システム情報更新識別子に基づいて更新判断を行うので、システム情報そのもの同士を比較して判断する場合に比べて迅速に更新判断を行うことができる。また、監視開始時にシステム情報の整合を図り、その上で監視画面生成処理を行うようにしているので、遠隔監視装置１０における監視画面表示の際には必ず集中コントローラ５０側と一致したシステム情報に基づいて監視画面が構成されることになり、監視時には常に正確な監視画面を表示することが可能となる。
【００３６】
なお、本実施の形態１では、集中コントローラ５０のシステム情報が更新されていた場合、自動的に遠隔監視装置１０側が保持するシステム情報も更新するようにしているが、遠隔監視装置１０上に集中コントローラ５０側のシステム情報を表示して監視者に更新の有無を問い合わせ、更新を実施するか否かを選択できるようにしても良い。これは、集中コントローラ５０側でのシステム情報設定に誤りがあった場合などの対策として有効である。
【００３７】
また、本実施の形態１では、集中コントローラ５０は、システム情報更新識別子のモニタ要求を受信すると、そのモニタ要求送信元の遠隔監視装置１０のみにシステム情報更新識別子を応答するようにしているが、当該サイトに接続している他の遠隔監視装置１０にも送信してその遠隔監視装置１０にシステム情報の更新判断を促すようにしてもよい。この場合、迅速にシステム構成変更を反映することができる。
【００３８】
実施の形態２．
実施の形態２は、遠隔監視装置から集中コントローラを介して各サイトＡ，Ｂ内の空気調和機の監視を行うに際し、運転監視情報の変更分のみを受信して更新表示することで、通信時間の短縮を図るものである。
【００３９】
図１０は、実施の形態２の遠隔監視システムにおける集中コントローラの構成図である。実施の形態２の集中コントローラ５０ａは、図３に示した実施の形態１の集中コントローラ５０のマイコン５７内に、後述の遠隔監視装置１０ａから運転監視情報更新識別子のモニタ要求に応じて運転監視情報記憶手段５５から運転監視情報更新識別子を読み出して応答するとともに、更新分の運転監視情報の送信要求を受信した際に、その要求に応じて運転監視情報記憶手段５５内の運転監視情報に基づいて変更分の運転監視情報を生成し、その変更分の運転監視情報に新たな運転監視情報更新識別子を付与して応答する運転監視情報応答手段５７ｅを備えたもので、その他の構成は図３と同様である。
【００４０】
図１１は、実施の形態２の遠隔監視システムにおける遠隔監視装置の構成図である。実施の形態２の遠隔監視装置１０ａは、図５に示した実施の形態１の遠隔監視装置１０のマイコン１７内に、更に、運転監視情報更新判断手段１７ｅと、運転監視情報更新手段１７ｆとを備えたもので、その他の構成は図５と同様である。
【００４１】
運転監視情報更新判断手段１７ｅは、複数の空気調和機４３の運転監視情報に基づく監視画面を表示手段１２に表示するにあたり、集中コントローラ５０ａに運転監視情報更新識別子のモニタ要求を送信し、その要求に応じて集中コントローラ５０ａから送信されてくる運転監視情報更新識別子を受信し、受信した運転監視情報更新識別子と、運転監視情報記憶手段５５内の運転監視情報更新識別子とを比較し、比較結果に基づいて前回の監視時から運転監視情報が更新されているか否かを判断する。
【００４２】
運転監視情報取得手段１７ｄは、運転監視情報更新判断手段１７ｅで更新されていると判断した場合、前回の監視時から更新された更新分の運転監視情報の送信要求を集中コントローラ５０ａに送信して更新分の運転監視情報を取得するものである。運転監視情報更新手段１７ｆは、運転監視情報取得手段１７ｄで取得した更新分の運転監視情報に基づいて運転監視情報記憶手段１５を記憶更新する。
【００４３】
ここで、実施の形態２は、図７のステップＳ２の運転監視情報取得処理の動作に特徴を有するものであり、以下、その特徴部分に係る遠隔監視システム全体の動作を説明する。なお、説明の便宜上、初回の監視時の動作フローと、２回目以降の監視時の動作フローとを図１２と図１３とに分けて説明する。
【００４４】
図１２と図１３は、実施の形態２の遠隔監視システムの動作を説明するフローチャートである。まず、図１２のフローチャートに基づいて初回の監視時の動作について説明する。
集中コントローラ５０ａは、各空気調和機４３から運転監視情報を収集し（Ｓ４１）、収集した運転監視情報を運転監視情報更新識別子を付与して自己の運転監視情報記憶手段５５に記憶する（Ｓ４２）処理を行う一方、運転監視情報更新識別子を遠隔監視装置１０ａに送信する処理を行う（Ｓ４３）。
【００４５】
遠隔監視装置１０ａは、集中コントローラ５０ａから運転監視情報更新識別子を受信すると（Ｓ４４）、その受信した運転監視情報更新識別子と、自己の運転監視情報記憶手段１５にデフォルト値として記憶してある監視情報更新識別子と比較する処理を行う（Ｓ４５）。そして、比較結果が不一致の場合、遠隔監視装置１０ａは、集中コントローラ５０ａに、その集中コントローラ５０ａに接続された各空気調和機４３の全運転監視情報の送信要求を送信する（Ｓ４６）。集中コントローラ５０ａは、その要求を受信し（Ｓ４７）、その要求に応じて自己の運転監視情報記憶手段５５内の全運転監視情報を読み出して遠隔監視装置１０ａに応答する（Ｓ４８）。
【００４６】
ここで、遠隔監視装置１０ａの運転監視情報記憶手段１５に記憶されている監視情報更新識別子のデフォルト値は、集中コントローラ５０ａから送信されてくる監視情報更新識別子とは一致しない値に設定されており、この初回の比較処理では、必ず不一致となり、全運転監視情報の送信要求が送信されるようになっている。遠隔監視装置１０ａは、全運転監視情報を受信すると（Ｓ４９）、受信した全運転監視情報とステップＳ４４で受信した運転監視情報更新識別子とに基づいて運転監視情報記憶手段１５を更新する（Ｓ５０）。
【００４７】
以上の処理は、遠隔監視装置１０ａがそのサイトＡを初めて監視する際の初回動作であり、以下、２回目以降の接続時の動作を、図１３を参照しながら説明する。
【００４８】
遠隔監視装置１０ａがサイトＡの運転監視を行う場合、遠隔監視装置１０ａは、サイトＡ内の各集中コントローラ５０ａに対し、その集中コントローラ５０ａで保持されている監視情報識別子のモニタ要求を送信する（Ｓ６１）。このモニタ要求を受信した集中コントローラ５０ａは、自己の運転監視情報記憶手段５５内の運転監視情報識別子を読み出して遠隔監視装置１０ａに応答する（Ｓ６２、Ｓ６３）。遠隔監視装置１０ａは、集中コントローラ５０ａからの運転監視情報更新識別子を受信し（Ｓ６４）、受信した運転監視情報更新識別子と、自己の運転監視情報記憶手段１５内の運転監視情報更新識別子とを比較する（Ｓ６５）。
【００４９】
比較結果が一致している場合、前回の監視時に集中コントローラ５０ａから取得した運転監視情報が自己の運転監視情報記憶手段１５に記憶されていることを意味している。よって、その後、空気調和機４３の運転監視情報が変化した可能性がある。そこで、遠隔監視装置１０ａは、前回監視時から変更された分の運転監視情報の送信要求を集中コントローラ５０ａに送信する（Ｓ６６）。その送信要求を受信した集中コントローラ５０ａは、その要求に応じて前回監視時からの変更分の運転監視情報を生成し、その変更分の運転監視情報に新たな運転監視情報更新識別子を付与し、その新たな運転監視情報更新識別子に基づいて運転監視情報記憶手段５５を更新するとともに遠隔監視装置１０ａに応答する（Ｓ６７、Ｓ６８）。遠隔監視装置１０ａは、集中コントローラ５０ａから送信されてくる変更分の運転監視情報とその変更分運転監視情報に対して付与された監視監視情報更新識別子とを受信し（Ｓ６９）、運転監視情報記憶手段１５を更新する（Ｓ７０）。
【００５０】
ここで、遠隔監視装置１０ａは図１に示したようにネットワークＮＥＴに複数接続されており、集中コントローラ５０ａは、図１４に示すように遠隔監視装置１０ａ毎（監視Ａ、監視Ｂ）に変更分送信時の運転監視情報更新識別子を記憶している。また、遠隔監視装置１０ａ側でも、図１５に示すように各サイト毎及び各集中コントローラ５０ａ毎に運転監視情報更新識別子を記憶している。そして、集中コントローラ５０ａは、この遠隔監視装置１０ａ毎の運転監視情報更新識別子に基づいて、各遠隔監視装置１０ａから更新分の運転監視情報の送信要求を受信した際に、それぞれその遠隔監視装置１０ａ対応の更新分の運転監視情報を生成して応答できるようになっている。
【００５１】
このように実施の形態２によれば、遠隔監視装置１０ａはサイト側の集中コントローラ５０ａから前回の巡回監視時からの変更分の運転監視情報のみを受信するようにしたので、サイト内の全空気調和機４３の運転監視情報の取得に要する通信時間を低減することができる。したがって、接続開始から監視画面表示までの時間を短縮することができる。
【００５２】
また、前回の監視時からの運転監視情報の更新有無の判断を、運転監視情報更新識別子の比較によって行うようにしているので、判断処理を迅速に行うことができる。
【００５３】
また、集中コントローラ５０ａは、遠隔監視装置１０ａ別に変更分送信時の運転監視情報更新識別子を付与しており、各遠隔監視装置１０ａそれぞれに対応した更新分の運転監視情報を応答することが可能な構成となっているため、遠隔監視装置１０ａが複数設置されている場合でも、上記と同様に通信時間の低減、接続開始から監視画面表示までの時間短縮が可能である。
【００５４】
実施の形態３．
実施の形態３は、次に接続予定のサイト（次候補サイト）へ切り換えるための接続要求を送信後、実際にその次候補サイトの監視画面の表示を行うまでに必要な各種処理に要する各種情報を、予め次候補サイトから収集して必要な処理を施しておくことで、サイト切換後の監視画面表示を直ちに行えるようにしたものである。
【００５５】
図１６は、実施の形態３の遠隔監視システムにおける遠隔監視装置の構成図である。図１６に示した実施の形態３の遠隔監視装置１０ｂは、図５に示した実施の形態１の遠隔監視装置１０のマイコン１７内に、次候補サイト情報収集処理手段１７ｇを更に備えるとともに、次候補サイト情報一時記憶手段１８を備えたもので、その他の構成は図５と同様である。
【００５６】
次候補サイト情報収集処理手段１７ｇは、遠隔監視装置１０ｂが次に接続予定のサイトへ切り換えるための接続要求を次候補サイト送信後、実際にその次候補サイトの監視画面表示を行うまでに必要な各種処理に要する情報（システム情報及び運転監視情報）（以下、次候補サイト情報という場合がある）を、予め次候補サイトの各集中コントローラ５０から収集するとともに、収集した次候補サイト情報に基づいて監視画面生成処理を行うものである。次候補サイト情報一時記憶手段１８は、次候補サイト情報収集処理手段１７ｇで収集された次候補サイト情報を一時的に記憶する手段である。
【００５７】
図１７は、本実施の形態３の遠隔監視システムの動作を示すフローチャートである。ここでは、遠隔監視装置１０ｂは、図７のフローチャートに示した一連の処理を行ってサイトＡの監視画面を表示した状態にあり、次に巡回監視予定の次候補サイトがサイトＢであるものとして説明する。
遠隔監視装置１０ｂは、サイトＡの監視画面を表示する処理を行う一方で、以下の処理を行う。すなわち、まず、予め内部に記憶してある巡回順序リストを読み出す（Ｓ８１）。ここで、巡回順序リストは、巡回順序順にサイト名が記載されたリストであり、遠隔監視装置１０ｂは、巡回順序リストと現在監視中のサイト名（ここではサイトＡ）とに基づいて次候補サイトの有無を判断する（Ｓ８２）。ここでは次候補サイト有りと判断され、サイトＢに対し、監視画面表示に必要な各種処理に要する情報の送信要求を送信する（Ｓ８３）。サイトＢの各集中コントローラ５０は、送信要求を受信し（Ｓ８４）、要求された情報を該当の各記憶手段から読み出して遠隔監視装置１０ｂに応答する（Ｓ８５）。遠隔監視装置１０ｂはサイトＢから各種情報を受信すると（Ｓ８６）、次候補サイト情報一時記憶手段１８に一時的に記憶させるとともに、受信した情報に基づいて監視画面生成処理（図７のステップＳ３に相当）を行う（Ｓ８７）。そして、サイトＢに巡回監視を切り換えるタイミングとなると（Ｓ８８）、遠隔監視装置１０ｂは、サイトＢに関して既に監視画面生成処理で生成されている監視画面に表示手段１２の表示を切り換える（Ｓ８９）。
【００５８】
このように本実施の形態３によれば、現在監視中のサイトの監視画面を表示する一方で、次に巡回監視予定の次候補サイトの監視画面表示に必要な各種情報の取得及び各種処理を行っておくので、サイト切換後、切換後のサイトの監視画面を直ちに表示することが可能となる。
【００５９】
実施の形態４．
実施の形態４は、各サイトの空気調和機における各種設定を遠隔監視装置から遠隔操作により変更する場合のデータ通信量の低減に関するものである。
【００６０】
図１８は、実施の形態４の遠隔監視システムにおける遠隔監視装置の構成図である。実施の形態４の遠隔監視装置１０ｃは、図５に示した実施の形態１の遠隔監視装置１０に、設定情報記憶手段１９を備えるとともに、マイコン１７内に、更に設定情報整合性判断手段１７ｈと、設定情報更新指示手段１７ｉと、設定情報更新手段１７ｊとを備えたものである。
【００６１】
設定情報記憶手段１９には、後述の集中コントローラ５０ｃから取得した各空気調和機４３における設定種別毎の設定情報とその設定情報の設定情報更新識別子とが対応付けて記憶されている。設定種別は、例えばスケジュール設定、操作設定等である。
【００６２】
図１９は、遠隔監視装置の設定情報記憶手段内の記憶構成を示す概念図で、特に設定種別がスケジュール設定に対応するものを示している。
スケジュール設定情報７０は、各室内機毎のスケジュール設定情報７０ａ，７０ｂ，７０ｃ…から構成されている。スケジュール設定情報は、「室内機ＩＤ」、「曜日」、「時刻」、「運転／停止」、「運転モード」、「設定温度」といった複数の設定項目から構成されている。図１９の例では、室内機ＩＤが００１の室内機について、月曜日の８：００に冷房２５℃で運転を開始し、月曜日の１２時に冷房２５℃での運転を停止するスケジュールが組まれていることを示している。かかる構成のスケジュール設定情報７０に対して１つの設定情報更新識別子（200201211123）が付与されており、設定情報更新識別子と対応付けて記憶されている。なお、操作設定情報は、スケジュール設定情報において、「曜日」、「時刻」の設定項目を省いた各項目から構成されている。
【００６３】
ここで、図１８の説明に戻る。
設定情報整合性判断手段１７ｈは、入力手段１３から空気調和機４３に関する設定情報の変更入力が行われると、集中コントローラ５０ｃにその変更を行う設定情報の設定情報更新識別子のモニタ要求を送信し、その要求に応じて集中コントローラ５０ｃから送信されてくる設定情報更新識別子を受信し、受信した設定情報更新識別子と、自己の設定情報記憶手段１９内の該当の設定情報更新識別子とを比較し、比較結果に基づいて自己が管理している該当設定種別の設定情報と集中コントローラ５０ｃ側が管理している設定情報とが一致しているかを判断する。
【００６４】
設定情報更新指示手段１７ｉは、設定情報整合性判断手段１７ｈで一致していると判断された場合、設定情報のうちの変更分と今回の変更に対して新たに付与した設定情報更新識別子とを集中コントローラ５０ｃに送信して更新指示を行う。一致していないと判断された場合、入力手段１３からの変更入力に基づき変更された設定種別の設定情報全てを今回の変更に対して新たに付与した設定情報更新識別子とを集中コントローラ５０ｃに送信して更新指示を行う。
【００６５】
設定情報更新手段１７ｊは、設定情報整合性判断手段１７ｈで一致していると判断された場合、設定情報のうちの変更分に基づいて設定情報記憶手段１９内の該当の設定種別の設定情報を更新するとともに、設定情報更新指示手段１７ｉで付与された新たな設定情報更新識別子に基づいて設定情報記憶手段１９を更新する。また、設定情報整合性判断手段１７ｈで一致していないと判断された場合には、入力手段１３からの変更入力に基づき変更された設定種別の設定情報全てに基づいて設定情報記憶手段１９内の該当の設定種別の設定情報を更新するとともに、設定情報更新指示手段１７ｉで付与された新たな設定情報更新識別子に基づいて設定情報記憶手段１９を更新する。
【００６６】
図２０は、実施の形態４の遠隔監視システムにおける集中コントローラの構成図である。実施の形態４の集中コントローラ５０ｃは、図３に示した実施の形態１の集中コントローラ５０に設定情報記憶手段５８を備え、更に、マイコン５７内に、設定情報更新識別子応答手段５７ｆと、設定情報更新手段５７ｇとを備えたもので、その他の構成は図３と同様である。
【００６７】
設定情報記憶手段５８には、遠隔監視装置１０ｃの設定情報記憶手段１９と同様に、各空気調和機４３における設定種別毎の設定情報とその設定情報の設定情報更新識別子とが対応付けて記憶されている。
【００６８】
設定情報更新識別子応答手段５７ｆは、遠隔監視装置１０ｃから設定情報更新識別子のモニタ要求を受信すると、その要求に応じて設定情報記憶手段５８から設定情報更新識別子を読み出して応答する。設定情報更新手段５７ｇは、遠隔監視装置１０ｃから送信されてくる設定情報と設定情報更新識別子とに基づいて設定情報記憶手段５８を更新する。
【００６９】
図２１は、本実施の形態４の遠隔監視システムの動作を示すフローチャートである。図２１に基づいて、本実施の形態４の遠隔監視システムの動作を説明する。ここでは、遠隔監視装置１０ｃから、サイトＡの集中コントローラ５０Ａ（図１参照）側の空調システム４０に対してスケジュール設定を行いたい場合を例に説明する。
【００７０】
遠隔監視装置１０ｃは、監視者によりスケジュール設定に関する変更入力が行われると、まず、集中コントローラ５０Ａが保持している現在の実際のスケジュール情報を確認すべく、スケジュール設定情報更新識別子のモニタ要求を集中コントローラ５０ｃに送信する（Ｓ９１）。このモニタ要求を受信した集中コントローラ５０ｃは、設定情報記憶手段５８内に記憶されているスケジュール設定情報更新識別子を読み出して遠隔監視装置１０に応答する（Ｓ９２、Ｓ９３）。
【００７１】
遠隔監視装置１０ｃは、スケジュール設定情報更新識別子を受信すると（Ｓ９４）、受信した設定識別子と、自己の設定情報記憶手段１９に記憶されているスケジュール設定情報更新識別子とを比較して（Ｓ９５）、一致するか否かを判断する。一致している場合、遠隔監視装置１０ｃに記憶されているスケジュール設定情報と集中コントローラ５０ｃに記憶されているスケジュール設定情報とが同じであることを意味している。よって、今回、新たに入力手段１３から入力された変更分のスケジュール設定情報のみを集中コントローラ５０ｃに送信し、更新を指示する（Ｓ９６）。ここでは室内機００１に対して何らかの変更（例えば月曜日の時刻８：００の冷房温度を２５℃から２６℃に変更するなど）を行うとすると、その室内機００１のスケジュール設定情報７０ａのみを、新たなスケジュール設定情報更新識別子を付与して集中コントローラ５０ｃに送信する。
【００７２】
そして、遠隔監視装置１０ｃは、入力手段１３から入力されたその変更分の室内機００１のスケジュール設定情報７０ａと、新たに付与したスケジュール設定情報更新識別子とに基づいて自己の設定情報記憶手段１９を更新する（Ｓ９７）。
【００７３】
集中コントローラ５０ｃは、遠隔監視装置１０ｃからの室内機００１のスケジュール設定情報７０ａと、スケジュール設定情報更新識別子とを受信し（Ｓ９８）、受信したデータに基づいて設定情報記憶手段５８を更新する（Ｓ９９）。すなわち、集中コントローラ５０ｃは、設定情報記憶手段５８内のスケジュール設定情報の室内機００１に関する部分のみを更新し、スケジュール設定更新識別子を、遠隔監視装置１０ｃから取得したスケジュール設定情報更新識別子に更新する。
【００７４】
一方、ステップＳ９５で一致していないと判断した場合、遠隔監視装置１０ｃに記憶されているスケジュール設定情報７０と集中コントローラ５０ｃに記憶されているスケジュール設定情報とが異なっていることを意味しており、具体的にどの室内機のスケジュール設定情報が異なっているのかまで判断がつかないため、遠隔監視装置１０ｃは、入力手段１３から入力された設定変更部分を含むスケジュール設定情報の全て、すなわち全室内機のスケジュール設定情報を、新たな設定情報更新識別子を付与して集中コントローラ５０ｃに送信して更新を指示する（Ｓ１００）。そして、遠隔監視装置１０ｃは、そのスケジュール設定情報全てと、新たに付与したスケジュール設定情報更新識別子とに基づいて自己の設定情報記憶手段１９を更新する（Ｓ１０１）。
【００７５】
集中コントローラ５０ｃは、遠隔監視装置１０ｃからの全室内機のスケジュール設定情報と、スケジュール設定情報更新識別子とを受信し（Ｓ１０２）、受信したデータに基づいて設定情報記憶手段５８を更新する（Ｓ１０３）
【００７６】
このように実施の形態４によれば、遠隔監視装置１０ｃから各サイトＡ，Ｂの空気調和機４３における各種設定を遠隔操作により変更する場合、変更分のデータのみを送信して更新させるようにしたので、全データを送信する場合に比べて設定送信の時間を短縮することができる。また、設定送信の時間を短縮することにより、他のサイトの監視に時間を割り当てることができる。
【００７７】
また、遠隔監視装置１０ｃが保持する設定情報と集中コントローラ５０ｃが保持する設定情報との整合性判断を、設定情報更新識別子の比較によって行うようにしているので、判断処理を迅速に行うことができる。
【００７８】
実施の形態５．
実施の形態５は、遠隔監視装置において現在監視中のサイトの空気調和機に異常が発生すると、次に巡回予定の候補サイトへの切換タイミングであっても、次候補サイトへ切り換えず現在監視中の異常発生元のサイトの監視画面の表示を継続して行うようにしたものである。
【００７９】
図２２は、実施の形態５の遠隔監視システムにおける集中コントローラの構成図である。実施の形態５の集中コントローラ５０ｄは、図３に示した実施の形態１の集中コントローラ５０のマイコン５７内に、空気調和機４３で異常が発生した場合にその空気調和機４３から送信されてくる異常情報を後述の遠隔監視装置１０ｄに通報し、また、空気調和機４３が異常から復旧した場合にその空気調和機４３から送信されてくる復旧情報を遠隔監視装置１０ｄに通報する通報手段５７ｈを更に備えたもので、その他の構成は図３と同様である。
【００８０】
図２３は、実施の形態５の遠隔監視システムにおける遠隔監視装置の構成図である。実施の形態５の遠隔監視装置１０ｄは、図５に示した実施の形態１の遠隔監視装置１０のマイコン１７内に、集中コントローラ５０ｄからの異常情報を受信した場合、次に巡回予定の候補サイトへの切換タイミングとなっても、次候補サイトへ切り換えず現在監視中の異常発生元のサイトの監視画面の表示を継続して行い、集中コントローラ５０ｄからの復旧情報を受信するとその継続表示を解除する監視対象固定手段１７ｋを備えたもので、その他の構成は図５と同様である。
【００８１】
図２４〜図２６は、本実施の形態５の遠隔監視システムの動作を示すフローチャートである。なお、遠隔監視装置１０ｄは、サイトＡに関する監視画面を表示手段１２に表示中であるものとして以下の説明を行う。
ところで、空気調和機４３は、運転中に異常の発生を検知すると、その異常情報を集中コントローラ５０ｄに送信する構成となっており、サイトＡの集中コントローラ５０ｄは、空気調和機４３からの異常情報を受信すると（Ｓ１１１）、その異常情報を遠隔監視装置１０ｄに通報する（Ｓ１１２）。異常情報を受信した遠隔監視装置１０ｄでは、異常フラグを立てる処理を行っており（Ｓ１１３、Ｓ１１４）、必要に応じて監視画面をその異常情報を含んだ表示に更新する。また、空気調和機４３で異常発生後、何らかの対策が取られて復旧すると、復旧情報を同様に空気調和機４３から集中コントローラ５０ｄに送信するされる。集中コントローラ５０ｄは、空気調和機４３からの復旧情報を受信すると（Ｓ１２１）、その復旧情報を遠隔監視装置１０ｄに通報する（Ｓ１２２）。復旧情報を受信した遠隔監視装置１０ｄでは、異常フラグを解除する処理を行う（Ｓ１２３、Ｓ１２４）。
【００８２】
遠隔監視装置１０ｄでは、次の巡回候補サイトへの切換タイミングになったか否かをチェックしており（Ｓ１３１）、切換タイミングになると、異常フラグが立っているかをどうかをチェックする（Ｓ１３２）。異常フラグが立っていれば、現在表示中のサイトすなわち異常発生元のサイトＡの監視画面を継続表示する処理（監視対象固定処理）を行う（Ｓ１３３）。このステップＳ１３２の処理を、異常フラグが解除になるまで継続して行い、異常フラグが解除されると、監視対象固定処理を解除し（Ｓ１３４）、次候補サイトの監視画面への表示に切り換える（Ｓ１３５）。
【００８３】
このように本実施の形態５によれば、監視中のサイトの空気調和機４３に異常が発生した場合、次の巡回候補サイトへの監視タイミングになっても、その異常発生サイトの監視画面を継続して表示するようにしたので、異常復旧などのサービスを迅速に提供することが可能となる。
【００８４】
また、遠隔監視装置１０ｄに監視画面切り換え手段を設け、所定のサイトを監視中に別のサイトの集中コントローラ５０ｄから異常情報を受信した場合に、表示手段１２上の監視画面表示を、その異常情報の発信元のサイトに監視画面に切り換えるようにしてもよい。この場合、その異常発生したサイトを巡回モニタ間隔よりも早く表示することができ、異常復旧などのサービスを迅速に提供することが可能となる。
【００８５】
なお、本実施の形態５では、表示を固定する際の事象を、異常発生とした場合を例に説明したが、これに限られたものではなく、異常猶予（ユーザが判別できないレベルの内部異常発生）や、省エネレベル違反（実際の電力レベルが省エネレベルを超えそうな状況）の場合にも適用できることは言うまでもない。
【００８６】
実施の形態６．
実施の形態６は、集中コントローラを動作させるためのソフトウェアを更新したい場合に、各サイトに訪問して更新作業を行うことなく遠隔監視装置側から自動更新可能としたものである。
【００８７】
図２７は、実施の形態６の遠隔監視システムにおける遠隔監視装置の構成図である。実施の形態６の遠隔監視装置１０ｅは、図５に示した実施の形態１の遠隔監視装置１０に、集中コントローラ５０ｅを動作させるための最新のソフトウェアとそのソフトウェアのバージョン情報とを記憶する集中コントローラ用ソフトウェア記憶手段１９ａを備えたものである。更に、マイコン１７内に、集中コントローラ５０ｅを動作させるソフトウェアの現在のバージョン情報のモニタ要求を集中コントローラ５０ｅに送信し、その要求に応じて集中コントローラ５０ｅから送信されてくるバージョン情報に基づき変更の要否を判断するソフトウェア更新判断手段１７ｍと、ソフトウェア更新判断手段１７ｍで更新必要と判断された場合、集中コントローラ用ソフトウェア記憶手段１９ａに記憶されたソフトウェアとバージョン情報とを読み出し、そのソフトウェアとバージョン情報とを含む更新指示を集中コントローラ５０ｅに送信するソフトウェア更新指示手段１７ｌとを備えたものである。
【００８８】
図２８は、実施の形態６の遠隔監視システムにおける集中コントローラの構成図である。実施の形態６の集中コントローラ５０ｅは、図３に示した実施の形態１の集中コントローラ５０に、集中コントローラ５０ｅを動作させるソフトウェアのバージョン情報を記憶するバージョン情報記憶手段５９ａと、遠隔監視装置１０ｅから受信したソフトウェア更新指示に含まれるソフトウェアを一時的に記憶するソフトウェア更新用記憶手段５９ｂとを備えている。また、遠隔監視装置１０からのバージョン情報のモニタ要求を受信した際に、その要求に応じてバージョン情報記憶手段５９ａから読み出して応答するバージョン情報応答手段５７ｉと、後述の遠隔監視装置１０ｅからソフトウェア更新指示を受信した際、更新指示に含まれるソフトウェアに基づいてマイコン５７内のソフトウェアを更新するソフトウェア更新手段５７ｊ とをマイコン５７内に更に備えたものである。
【００８９】
図２９は、実施の形態６の遠隔監視システムの動作を説明するフローチャートである。
まず、遠隔監視装置１０ｅは、集中コントローラ５０ｅを動作させるソフトウェアの現在のバージョン情報のモニタ要求を集中コントローラ５０ｅに送信し（Ｓ１４１）、このモニタ要求を受信した集中コントローラ５０ｅは、バージョン情報記憶手段５９ａ内のバージョン情報を読み出して遠隔監視装置１０ｅに応答する（Ｓ１４２，Ｓ１４３）。
【００９０】
遠隔監視装置１０ｅは、バージョン情報を受信すると（Ｓ１４４）、受信したバージョン情報と、集中コントローラ用ソフトウェア記憶手段１９ａ内に記憶されているバージョン情報とを比較して、変更の要否を判断する（Ｓ１４５）。すなわち、集中コントローラ用ソフトウェア記憶手段１９ａ内のバージョン情報の方が新しければ変更必要と判断し、集中コントローラ用ソフトウェア記憶手段１９ａに記憶されたソフトウェアとバージョン情報とを読み出し、そのソフトウェアとバージョン情報とを含む更新指示を集中コントローラ５０ｅに送信する（Ｓ１４６）。
【００９１】
集中コントローラ５０ｅは、遠隔監視装置１０ｅからの更新指示を受信し（Ｓ１４７）、更新指示に含まれるソフトウェア及びバージョン情報に基づいてマイコン５７内のソフトウェアとバージョン情報記憶手段５９ａのバージョン情報とを更新する（Ｓ１４８）。この更新処理に際し、集中コントローラ５０ｅは、遠隔監視装置１０ｅから更新指示を受信した際、更新指示に含まれるソフトウェアをソフトウェア更新用記憶手段５９ｂに一時的に記憶した上で実際のマイコン５７内のソフトウェア更新を行っている。
【００９２】
このように本実施の形態６によれば、集中コントローラ５０ｅを動作させるためのソフトウェアを更新する場合に、各サイトに出向くことなく、遠隔監視装置１０ｅ側から更新作業を行うことが可能となる。また、遠隔監視装置１０ｅが、集中コントローラ５０ｅのソフトウェアの更新要否を判断した上で最新のバージョンに自動更新するので、監視者による集中コントローラ５０ｅ側のソフトウェアのバージョン確認や、実際の更新作業が不要となり、ソフトウェア更新に要する手間の軽減及び時間短縮が可能となる。
【００９３】
なお、集中コントローラ５０ｅは、通常動作を行っている間に更新用ソフトウェアを入手して、空気調和機４３が停止している間に更新することも可能である。
【００９４】
なお、上記各実施の形態では、監視対象が空気調和機の場合を例に説明したがこれに限られたものではなく、他の設備機器であってももちろんよい。
【００９５】
また、上記各実施の形態において、各種更新識別子として年月日時分秒を使用しているが、更新回数を使用してもよく、また、設定したユニットや設定ユーザなどを特定できるＩＤを含んだ構成としても良い。
【００９６】
また、上記実施の形態１〜６においてそれぞれ別の実施の形態として説明したが、実施の形態１〜６の全てが実施できる遠隔監視システムとしてもよく、また、各実施の形態を適宜組み合わせた遠隔監視システムとしてもよい。
【図面の簡単な説明】
【００９７】
【図１】実施の形態１における遠隔監視システムの全体構成図である。
【図２】遠隔監視装置に表示される監視画面の一例を示す図である。
【図３】実施の形態１の集中コントローラの構成図である。
【図４】システム情報更新識別子の一例を示す図である。
【図５】実施の形態１の遠隔監視装置の構成図である。
【図６】システム情報記憶手段内のシステム情報更新識別子の一例を示す図である。
【図７】実施の形態１の遠隔監視システムの遠隔監視装置における動作概略を示すフローチャートである。
【図８】実施の形態１の遠隔監視システムの動作を示すフローチャート（１／２）である。
【図９】実施の形態１の遠隔監視システムの動作を示すフローチャートである（２／２）。
【図１０】実施の形態２の遠隔監視システムにおける集中コントローラの構成図である。
【図１１】実施の形態２の遠隔監視システムにおける遠隔監視装置の構成図である。
【図１２】実施の形態２の遠隔監視システムの動作を説明するフローチャート（１／２）である。
【図１３】実施の形態２の遠隔監視システムの動作を説明するフローチャート（２／２）である。
【図１４】図１０の集中コントローラの運転監視情報記憶手段内に記憶される運転情報更新識別子を示す図である。
【図１５】図１１の遠隔監視装置の運転監視情報記憶手段内に記憶される運転情報更新識別子を示す図である
【図１６】実施の形態３の遠隔監視システムにおける遠隔監視装置の構成図である。
【図１７】実施の形態３の遠隔監視システムの動作を示すフローチャートである。
【図１８】実施の形態４の遠隔監視システムにおける遠隔監視装置の構成図である。
【図１９】図１８の遠隔監視装置の設定情報記憶手段内の記憶構成を示す概念図である。
【図２０】実施の形態４の遠隔監視システムにおける集中コントローラの構成図である。
【図２１】実施の形態４の遠隔監視システムの動作を示すフローチャートである。図である。
【図２２】実施の形態５の遠隔監視システムにおける集中コントローラの構成図である。
【図２３】実施の形態５の遠隔監視システムにおける遠隔監視装置の構成図である。
【図２４】実施の形態５の遠隔監視システムの動作を示すフローチャート（１／３）である。
【図２５】実施の形態５の遠隔監視システムの動作を示すフローチャート（２／３）である。
【図２６】実施の形態５の遠隔監視システムの動作を示すフローチャート（３／３）である。
【図２７】実施の形態６の遠隔監視システムにおける遠隔監視装置の構成図である。
【図２８】実施の形態６の遠隔監視システムにおける集中コントローラの構成図である。
【図２９】実施の形態６の遠隔監視システムの動作を説明するフローチャートである。
【符号の説明】
【００９８】
１０，１０ａ，１０ｂ，１０ｃ，１０ｄ，１０ｅ  遠隔監視装置、１２  表示手段、１３  入力手段、１４  システム情報記憶手段、１５  運転監視情報記憶手段、１７ａ  システム情報更新判断手段、１７ｂ  システム情報取得手段、１７ｃ  システム情報更新手段、１７ｄ  運転監視情報取得手段、１７ｅ  運転監視情報更新判断手段、１７ｆ  運転監視情報更新手段、１７ｇ  次候補サイト情報収集処理手段、１７ｈ  設定情報整合性判断手段、１７ｉ  設定情報更新指示手段、１７ｊ  設定情報更新手段、１７ｋ  監視対象固定手段、１７ｌ  ソフトウェア更新指示手段、１７ｍ  ソフトウェア更新判断手段、１８  次候補サイト情報一時記憶手段、１９  設定情報記憶手段、１９ａ  集中コントローラ用ソフトウェア記憶手段、４３  空気調和機、５０，５０ａ〜５０ｅ  集中コントローラ、５２  表示手段、５３  入力手段、５４  システム情報記憶手段、５５  運転監視情報記憶手段、５６  フロア配置情報記憶手段、５７ａ  システム情報更新判断手段、５７ｂ  システム情報更新手段、５７ｃ  システム情報応答手段、５７ｄ  運転監視情報収集手段、５７ｅ  運転監視情報応答手段、５７ｆ  設定情報更新識別子応答手段、５７ｇ  設定情報更新手段、５７ｈ  通報手段、５７ｉ  バージョン情報応答手段、５７ｊ  ソフトウェア更新手段、５８  設定情報記憶手段、５９ａ  バージョン情報記憶手段。
【図１】
2006279685.tif 000003
【図２】
2006279685.tif 000004
【図３】
2006279685.tif 000005
【図４】
2006279685.tif 000006
【図５】
2006279685.tif 000007
【図６】
2006279685.tif 000008
【図７】
2006279685.tif 000009
【図８】
2006279685.tif 000010
【図９】
2006279685.tif 000011
【図１０】
2006279685.tif 000012
【図１１】
2006279685.tif 000013
【図１２】
2006279685.tif 000014
【図１３】
2006279685.tif 000015
【図１４】
2006279685.tif 000016
【図１５】
2006279685.tif 000017
【図１６】
2006279685.tif 000018
【図１７】
2006279685.tif 000019
【図１８】
2006279685.tif 000020
【図１９】
2006279685.tif 000021
【図２０】
2006279685.tif 000022
【図２１】
2006279685.tif 000023
【図２２】
2006279685.tif 000024
【図２３】
2006279685.tif 000025
【図２４】
2006279685.tif 000026
【図２５】
2006279685.tif 000027
【図２６】
2006279685.tif 000028
【図２７】
2006279685.tif 000029
【図２８】
2006279685.tif 000030
【図２９】
2006279685.tif 000031